(57)【要約】【課題】楽器への設定データの適用を容易にする設定データの通信方法及びプログラムを提供する。【解決手段】本発明の一実施形態に係るプログラムは、コンピュータに、音発生装置との通信を確立し、前記音発生装置との通信が確立されると、前記音発生装置に音の生成又は、音の発生の制御に関する設定データを送信すること、を実行させ、前記通信の確立は、通信可能な１つ以上の移動通信端末のうち１つの移動通信端末が通信するべき移動通信端末として前記音発生装置により特定されることにより実現する、ことを特徴とする。【選択図】図２
2020173480.tif 000002
【特許請求の範囲】
【請求項１】
コンピュータに、
音発生装置との通信を確立し、
前記音発生装置との通信が確立されると、前記音発生装置に音の生成又は、音の発生の制御に関する設定データを送信すること、
を実行させ、
前記通信の確立は、通信可能な１つ以上の移動通信端末のうち１つの移動通信端末が通信するべき移動通信端末として前記音発生装置により特定されることにより実現する、プログラム。
【請求項２】
前記設定データは、楽器の音色パラメータ、楽譜、伴奏データ、適用されるエフェクタに関する情報を含む、請求項１に記載のプログラム。
【請求項３】
前記音発生装置から楽器の種類を示す情報を含む楽器情報を受信すること、をさらに実行させ、
前記設定データは、前記楽器情報に基づく設定データである、請求項１又は２に記載のプログラム。
【請求項４】
音発生装置との通信を確立し、
前記音発生装置との通信が確立されると、前記音発生装置に音の生成又は、音の発生の制御に関する設定データを送信すること、
を含み、
前記通信の確立は、通信可能な１つ以上の移動通信端末のうち１つの移動通信端末が通信するべき移動通信端末として前記音発生装置により特定されることにより実現する、設定データの通信方法。
【請求項５】
前記設定データは、楽器の音色パラメータ、楽譜、伴奏データ、適用されるエフェクタに関する情報を含む、請求項４に記載の設定データの通信方法。
【請求項６】
前記音発生装置から楽器の種類を示す情報を含む楽器情報を受信すること、をさらに含み、
前記設定データは、前記楽器情報に基づく設定データである、請求項４又は５に記載の設定データの通信方法。
【発明の詳細な説明】
【技術分野】
【０００１】
本発明は、音発生装置に関する。
【背景技術】
【０００２】
電子楽器における演奏データや楽器の設定データを記録するデータ記録装置がある。例えば、特許文献１は、接続された電子楽器から該電子楽器に関する演奏データや設定データを取得して記録するデータ記録装置が開示されている。
【先行技術文献】
【特許文献】
【０００３】
【特許文献１】特開２０１２−２０３０７２号公報
【発明の概要】
【発明が解決しようとする課題】
【０００４】
しかしながら、ＵＳＢなどの記録媒体に楽器データを記録する場合、記録媒体を所持していなければ、使用者の演奏データや設定データを楽器にロードさせることができない。また、ＵＳＢなどの記録媒体を楽器に装着し、演奏データや設定データをロードさせる操作が煩雑であるという問題もある。
【０００５】
本発明の課題の一つは、楽器への設定データの適用を容易にすることにある。
【課題を解決するための手段】
【０００６】
本発明の一実施形態に係る音発生装置は、通信可能な１つ以上の移動通信端末の中から１つの移動通信端末を特定する特定部と、特定された１つの前記移動通信端末から音の生成又は、音の発生の制御に関する設定データを取得する取得部と、操作部における操作を検出し、検出された前記操作と前記設定データとに基づいて音を出力する音発生部と、を備える。
【０００７】
前記１つ以上の移動通信端末から発せられた信号の信号強度を測定する測定部をさらに備え、前記通信可能な状態は、前記信号強度が所定の強度以上の状態であり、前記特定部は、測定された前記信号の信号強度に基づいて、前記１つの移動通信端末を１つ特定してもよい。
【０００８】
前記特定部は、最も信号強度の大きな移動通信端末を前記１つの移動通信端末として特定してもよい。
【０００９】
前記特定された１つの移動通信端末が有効な移動通信端末か無効な移動通信端末かを判定する判定部をさらに備え、前記判定部が前記特定された１つの移動通信端末が無効な移動通信端末と判定する場合、前記特定部は、前記通信可能な１つ以上の移動通信端末の中から新たに１つの移動通信端末を特定してもよい。
【００１０】
所定の位置におけるユーザの有無を検知する検知部をさらに備え、前記判定部は、前記特定された１つの移動通信端端末が通信可能な状態であり、且つ前記検知部によって前記所定の位置においてユーザが検知された場合、前記特定された１つの移動通信端末が有効な移動通信端末と判定してもよい。
【００１１】
前記操作部による操作を検出している期間は、前記判定部は、前記特定された１つの移動通信端末が有効な移動通信端末と判定してもよい。
【００１２】
前記特定された１つの移動通信端末が有効な移動通信端末か無効な移動通信端末かを判定する判定部をさらに備え、前記判定部が前記特定された１つの移動通信端末が無効な移動通信端末と判定する場合、前記特定部は、前記通信可能な１つ以上の移動通信端末の中から新たに１つの移動通信端末を特定し、前記判定部は、前記最も信号強度の大きな移動通信端末が信号強度を所定期間維持する場合、又は該信号強度を基準とした所定範囲に信号強度を維持する場合、前記特定された１つの移動通信端末が有効な移動通信端末と判定してもよい。
【００１３】
本発明の一実施形態に係るゲーム装置は、前記何れかに記載の音発生装置と、ゲームの進行を制御する制御部と、を備え、前記操作部は、ゲームの進行を制御する操作を受ける。
【００１４】
本発明の一実施形態に係る音発生方法は、通信可能な１つ以上の移動通信端末の中から１つの移動通信端末を特定し、特定された１つの前記移動通信端末から音の生成又は、音の発生の制御に関する設定データを取得し、操作部における操作を検出し、検出された前記操作と前記設定データとに基づいて音を出力すること、を含む。
【００１５】
前記１つ以上の移動通信端末から発せられた信号の信号強度を測定することをさらに含み、前記通信可能な状態は、前記信号強度が所定の強度以上の状態であり、前記特定することは、測定された前記信号の信号強度に基づいて、前記１つの移動通信端末を１つ特定することを含んでもよい。
【００１６】
前記特定することは、最も信号強度の大きな移動通信端末を前記１つの移動通信端末として特定することを含んでもよい。
【００１７】
前記特定された１つの移動通信端末が有効な移動通信端末か無効な移動通信端末かを判定することをさらに含み、前記特定された１つの移動通信端末が無効な移動通信端末と判定する場合、前記通信可能な１つ以上の移動通信端末の中から新たに１つの移動通信端末を特定してもよい。
【００１８】
所定の位置におけるユーザの有無を検知することをさらに含み、前記判定することは、前記特定された１つの移動通信端端末が通信可能な状態であり、且つ前記所定の位置においてユーザが検知された場合、前記特定された１つの移動通信端末が有効な移動通信端末と判定することを含んでもよい。
【００１９】
前記操作部による操作を検出している期間は、前記特定された１つの移動通信端末が有効な移動通信端末と判定されてもよい。
【００２０】
前記特定された１つの移動通信端末が有効な移動通信端末か無効な移動通信端末かを判定することをさらに含み、前記特定された１つの移動通信端末が無効な移動通信端末と判定する場合、前記通信可能な１つ以上の移動通信端末の中から新たに１つの移動通信端末を特定し、前記最も信号強度の大きな移動通信端末が信号強度を所定期間維持する場合、又は該信号強度を基準とした所定範囲に信号強度を維持する場合、前記特定された１つの移動通信端末が有効な移動通信端末と判定してもよい。
【発明の効果】
【００２１】
本発明の一実施形態に係る音発生装置及び音発生システムによれば、楽器への設定データ適用を容易にすることができる。
【図面の簡単な説明】
【００２２】
【図１】本発明の一実施形態における音発生システムの構成を示すブロック図である。
【図２】本発明の一実施形態における音発生装置及び移動通信端末の構成を示すブロック図である。
【図３】本発明の一実施形態における設定機能及び送信機能の構成を示すブロック図である。
【図４Ａ】本発明の一実施形態における楽器の設定方法の流れを示したフローチャートである。
【図４Ｂ】本発明の一実施形態における楽器の設定方法の流れを示したフローチャートである。
【図５】本発明の別の実施形態における音発生システムの構成を示すブロック図である。
【図６】本発明の別の実施形態における設定機能及び送信機能の構成を示すブロック図である。
【図７Ａ】本発明の別の実施形態における楽器の設定方法の流れを示したフローチャートである。
【図７Ｂ】本発明の別の実施形態における楽器の設定方法の流れを示したフローチャートである。
【図８】本発明の別の実施形態における音発生システムの構成を示すブロック図である。
【図９】本発明の別の実施形態における設定機能の構成を示すブロック図である。
【発明を実施するための形態】
【００２３】
以下、本発明の一実施形態における音発生装置について、図面を参照しながら詳細に説明する。以下に示す実施形態は本発明の実施形態の一例であって、本発明はこれらの実施形態に限定されるものではない。
【００２４】
（実施形態１）
本発明の一実施形態における楽器の設定を行う音発生装置及び音発生システムについて、図面を参照しながら詳細に説明する。本発明の一実施形態に係る、音発生システムは、楽器の設定を行う設定装置を含む音発生装置と、ユーザが携帯し、該楽器の設定データを記憶する移動通信端末と、を含む。楽器の設定を行う設定装置は、ユーザが携帯し、ユーザが通常使用している楽器の設定データが予め記録されている移動通信端末から、ユーザが使用する楽器の設定データを受信し、受信した設定データに基づいて、楽器の設定を行う。本発明の一実施形態において、移動通信端末は、外部装置と通信可能であり、ユーザが外出の際に通常携帯する、スマートフォンやタブレットなどのモバイル端末であってもよい。
【００２５】
［システム］
図１は、本実施形態における音発生システム１０を示す概略図である。音発生システム１０は、音発生装置１４と、音発生装置１４の音の生成の制御に関する設定を行う設定装置１１と、設定装置１１と通信可能な移動通信端末１３とを含む。音発生装置１４は、例えば、電子ピアノなどの電子楽器やゲーム装置であってもよい。本実施形態では、一例として、音発生装置１４が電子ピアノである場合を説明する。以下、音発生装置１４を楽器１４と呼ぶ。設定装置１１は、楽器１４に内蔵されている。設定装置１１は、楽器１４に内蔵されている音発生部１５の設定パラメータ１２の設定を行う。設定パラメータ１２は、楽器１４に適用される音色パラメータや、楽譜、伴奏データ、適用されるエフェクタに関するパラメータである。音発生部１５は、設定パラメータ１２の設定と、楽器１４のユーザによる楽器１４の操作子（本実施形態においては楽器１４の鍵）１６の操作とに基づいて音を出力する。例えば、楽器１４は、楽器１４のユーザ（演奏者）による１回の操作で１回発音する。
【００２６】
本実施形態に係る音発生システム１０において、楽器１４の音の生成の制御に関する設定を行う設定装置１１は、設定装置１１の周囲にある、設定装置１１と通信可能な１つ以上の移動通信端末１３の中から最も信号強度の高い移動通信端末１３と通信する。信号強度とは、設定装置１１によって受信される移動通信端末１３の電波強度である。例えば、図１に示すように、設定装置１１の周囲に、設定装置１１と通信可能な移動通信端末１３ａ、１３ｂ、１３ｃ、１３ｄがあり、移動通信端末１３ｃの位置が、移動通信端末１３ａ〜１３ｄの中で最も設定装置１１に近いものとする。この場合、設定装置１１によって受信される移動通信端末１３ｃの信号強度は、設定装置１１によって受信される移動通信端末１３ａ、１３ｂ、１３ｄの信号強度よりも高い。そのため、設定装置１１は、移動通信端末１３ａ〜１３ｄのうち、最も信号強度の高い移動通信端末１３ｃと通信する。
【００２７】
設定装置１１と通信する移動通信端末１３（１３ａ〜１３ｄ）は、それぞれユーザが通常使用している楽器の設定データを記憶している。尚、移動通信端末１３（１３ａ〜１３ｄ）は、それぞれ複数の楽器の設定データを記憶することができる。移動通信端末１３が複数の楽器の設定データを記憶している場合、各楽器の設定データは、対応する楽器に関連付けられて記憶されている。楽器の設定データは、例えば、ユーザが通常使用している楽器の音色パラメータ、楽譜、伴奏データ、適用されるエフェクタに関する情報を含む。
【００２８】
［ハードウエア］
図２は、本実施形態に係る、設定装置１１の構成及び移動通信端末１３の構成を示すブロック図である。設定装置１１は、制御部１０１、記憶部１０３、通信インターフェース（通信Ｉ／Ｆ）１０５及び操作部１０７を備える。また、設定装置１１は、任意で表示部１０９を備えてもよい。これらの各構成は、バス１１１を介して相互に接続されている。移動通信端末１３は、制御部１１３、記憶部１１５、通信インターフェース（通信Ｉ／Ｆ）１１７及び操作部１１９を備える。また、移動通信端末１３は、任意で表示部１２１を備えてもよい。これらの各構成は、バス１２３を介して相互に接続されている。
【００２９】
設定装置１１の構成について、図２を参照して説明する。制御部１０１は、ＣＰＵなどの演算処理回路を含む。制御部１０１は、記憶部１０３に記憶された制御プログラム１０３ａをＣＰＵにより実行して、楽器の設定を行うため各種機能を設定装置１１において実現させる。実現される機能には、楽器の設定機能が含まれる。
【００３０】
記憶部１０３は、不揮発性メモリ、ハードディスク等の記憶装置である。記憶部１０３は、楽器の設定機能を実現するための制御プログラム１０３ａを記憶する。制御プログラム１０３ａは、磁気記録媒体、光記録媒体、光磁気記録媒体、半導体メモリなどのコンピュータ読み取り可能な記録媒体に記憶した状態で提供されてもよい。この場合には、設定装置１１は、記録媒体を読み取る装置を備えていればよい。また、制御プログラム１０３ａは、インターネット等のネットワーク経由でダウンロードされてもよい。また、記憶部１０３は、楽器情報１０３ｂを記憶する。楽器情報１０３ｂは、楽器の種類を示す情報を含む。楽器の種種類を示す情報は、例えば、楽器のメーカー、楽器の製品名、型番、品番、製造番号などの楽器の種類を特定するための情報を示す。
【００３１】
通信Ｉ／Ｆ１０５は、制御部１０１の制御に基づいて、移動通信端末１３との通信を行う。また、通信Ｉ／Ｆ１０５は、インターネットやＬＡＮなどの通信回線と接続して、サーバ等の外部装置との通信を行ってもよい。尚、記憶部１０３の機能は、通信Ｉ／Ｆ１０５によって通信可能な外部装置で実現されてもよい。
【００３２】
操作部１０７は、操作パネルおよびリモコンなどに設けられた操作ボタン、キーボード、マウスなどの装置であり、入力された操作に応じた信号を制御部１０１に出力する。ユーザは、移動通信端末１３との通信指示を操作部１０７を介して行う。また、ユーザは、使用する楽器の設定を操作部１０７によって手動で指定してもよい。また、移動通信端末１３から受信した楽器の設定データに基づく楽器の設定に加え、楽器のユーザが操作部１０７を介して追加の設定を行ってもよい。
【００３３】
表示部１０９は、液晶ディスプレイ、有機ＥＬディスプレイ等の表示装置であり、制御部１０１による制御に基づいてユーザに対し、制御部１０１による制御に基づいた画面が表示される。例えば、表示部１０９には、楽器の設定状態が表示されてもよい。
【００３４】
次に、移動通信端末１３の構成について、図２を参照して説明する。制御部１１３は、ＣＰＵなどの演算処理回路を含む。制御部１１３は、記憶部１１５に記憶された制御プログラム１１５ａをＣＰＵにより実行して、楽器の設定を行うため各種機能を移動通信端末１３において実現させる。実現される機能には、楽器の設定データの記憶及び設定データの出力などの機能が含まれる。制御部１１３は、設定データ記憶部１１３ａを有する。設定データ記憶部１１３ａは、書き換え可能なメモリであってもよく、例えば、ＲＡＭから構成されてもよい。設定データ記憶部１１３ａは、ユーザが通常使用している楽器の設定データを記録し、保持する。制御部１１３は、設定データ記憶部１１３ａにユーザが通常使用している楽器の設定データを記録させ、設定装置１１との通信時に設定データ記憶部１１３ａに記憶された設定データを設定装置１１に送信する。
【００３５】
記憶部１１５は、不揮発性メモリ、ハードディスク等の記憶装置である。記憶部１１５は、楽器の設定機能を実現するための制御プログラム１１５ａを記憶する。制御プログラム１１５ａは、磁気記録媒体、光記録媒体、光磁気記録媒体、半導体メモリなどのコンピュータ読み取り可能な記録媒体に記憶した状態で提供されてもよい。この場合には、移動通信端末１３は、記録媒体を読み取る装置を備えていればよい。また、制御プログラム１１５ａは、インターネット等のネットワーク経由でダウンロードされてもよい。
【００３６】
通信Ｉ／Ｆ１１７は、制御部１１３の制御に基づいて、設定装置１１との通信を行う。また、通信Ｉ／Ｆ１１７は、インターネットやＬＡＮなどの通信回線と接続して、サーバ等の外部装置との通信を行ってもよい。尚、記憶部１１５の機能は、通信Ｉ／Ｆ１１７によって通信可能な外部装置で実現されてもよい。
【００３７】
操作部１１９は、操作パネルや操作ボタン、キーボード、マウスなどの装置であり、入力された操作に応じた信号を制御部１１３に出力する。ユーザは、楽器の設定に使用されるアプリケーションの起動を操作部１１９を介して行うことができる。また、ユーザは、楽器の設定データを設定データ記憶部１１３ａに記録し、保存する際、保存場所などを操作部１１９を介して設定することができる。また、移動通信端末１３の設定データ記憶部１１３ａに複数の楽器の設定データが記録されている場合、ユーザは、操作部１１９を介して設定装置１１に送信する設定データを選択することができる。
【００３８】
表示部１２１は、液晶ディスプレイ、有機ＥＬディスプレイ等の表示装置であり、制御部１１３による制御に基づいてユーザに対し、制御部１１３による制御に基づいた画面が表示される。
【００３９】
［設定機能］
設定装置１１の制御部１０１が記憶部１０３に記憶された制御プログラム１０３ａを実行することによって実現される、楽器の設定機能について説明する。また、移動通信端末１３の記憶部１１５に記憶された制御プログラム１１５ａを実行することによって実現される、楽器の設定データの送信機能について説明する。以下に説明する設定機能及び設定データの送信機能を実現する構成の一部または全部は、設定装置１１及び移動通信端末１３のハードウエアによって実現されてもよい。
【００４０】
図３は、本実施形態における楽器の設定機能３００及び設定データの送信機能４００の構成を示すブロック図である。図３を参照すると、設定機能３００は、測定部３０１、特定部３０３、送受信部３０５、取得部３０６、及び設定部３０７を含む。また、設定データの送信機能４０は、送受信部４０１を含む。尚、図３においては、送信機能４００は図１における移動通信端末１３ｃで実行される送信機能を示している。
【００４１】
以下、設定機能３００について説明する。測定部３０１は、設定装置１１の周囲に存在する、設定装置１１と通信可能な移動通信端末１３ａ〜１３ｄの信号強度を測定する。例えば、測定部３０１は、設定装置１１と通信可能な移動通信端末１３ａ〜１３ｄのＲＳＳＩ（Received Signal Strength Indicator）をそれぞれ測定する。
【００４２】
特定部３０３は、測定部３０１によって測定された、移動通信端末１３ａ〜１３ｄの信号強度を取得し、操作部１０７を介したユーザの指示に応じて、取得した信号強度に基づいて通信するべき移動通信端末を特定する。ここで、特定部３０３は、移動通信端末１３ａ〜１３ｄの中から、最も大きな信号強度を有する移動通信端末１３を通信するべき移動通信端末であると特定する。図１に示すように、移動通信端末１３ａ〜１３ｄのうち、移動通信端末１３ｃの信号強度を最も大きい場合、特定部３０３は、取得した信号強度のうち、最も大きな信号強度を有する移動通信端末１３ｃを、通信するべき移動通信端末であると特定する。
【００４３】
送受信部３０５は、特定部３０３によって特定された移動通信端末１３ｃと通信を行い、該移動通信端末１３ｃから楽器の音の生成の制御に関する設定データを受信する。このとき、送受信部３０５は、楽器情報１０３ｂを特定部３０３によって特定された移動通信端末１３ｃに送信してもよい。移動通信端末１３ｃが複数の楽器の設定データを記憶している場合、移動通信端末１３ｃは、設定装置１１から受信した楽器情報１０３ｂに基づいて、楽器情報１０３ｂに対応している楽器の設定データを選択し、選択された楽器の設定データを送受信部３０５に送信する。送受信部３０５は、移動通信端末１３ｃから受信した楽器の設定データを取得部３０６に送信する。送受信部３０５は、移動通信端末１３ｃから楽器の設定データを受信した後、移動通信端末１３ｃとの通信を解除する。
【００４４】
設定データには、例えば、使用する音色を指定するデータや、使用する伴奏パターンデータを特定することができるデータ、演奏するパートの音量、若しくはその他のパートの音量を調整するデータ、ユーザの演奏音高を移調するデータなどがある。更には、ユーザの演奏に対しハーモニー音など付加音生成のルールを特定するデータや、ユーザ演奏の各音へのビブラートやスタッカートのかかり具合などの表情付加のルールを特定するデータなどもある。また、設定データには、エフェクトを指定するデータや、ユーザに演奏テンポを指定するデータなども含まれる。この中で、例えば、音色に関わるデータや伴奏パターンに関わるデータ、更には付加音生成のルールに関わるデータや、表情付加のルールに関わるデータなどは、ユーザの演奏操作に応じた音の生成に関わる設定データである。一方、音量や移調、エフェクトなどに関わるデータは、ユーザの演奏操作に応じた音の出力を制御する設定データである。
【００４５】
取得部３０６は、送受信部３０５を介して、移動通信端末１３ｃから送信された楽器の音の生成の制御に関する設定データを取得する。取得部３０６は、取得した設定データを設定部３０７に送信する。
【００４６】
設定部３０７は、取得した楽器の設定データに基づいて、楽器の設定を変更する。即ち、設定部３０７は、楽器１４に内蔵された設定パラメータ１２を取得した楽器の設定データに基づいて変更する。楽器１４のユーザが操作部１０７を介して、該楽器１４に対する追加の設定を行う場合、設定部３０７は操作部１０７を介して入力されたユーザの設定指示を該楽器１４の設定パラメータ１２に反映してもよい。
【００４７】
次に、楽器の送信機能４００について説明する。設定機能３００の特定部３０３によって、設定装置１１と通信するべき移動通信端末として特定された移動通信端末１３は、送受信部４０１から楽器の設定データを設定装置１１に送信する。移動通信端末１３の設定データ記憶部１１３ａに複数の楽器の設定データが記録されている場合、送受信部４０１は、設定装置１１から楽器情報１０３ｂを受信する。制御部１１３は、送受信部４０１から楽器情報１０３ｂを取得して、複数の楽器の設定データから該楽器情報１０３ｂに対応する楽器の設定データを選択する。また、図示はしないが、移動通信端末１３の操作部１１９を介して設定装置１１に送信する設定データを選択してもよい。
【００４８】
上述したように、本実施形態に係る設定装置１１において、送受信部３０５は、移動通信端末１３ａから楽器の設定データを受信した後、該移動通信端末１３ｃとの通信を解除する。設定データを送信した移動通信端末１３ｃとの通信を解除した後、設定装置１１の特定部３０３は、操作部１０７を介したユーザの指示に応じて、測定部３０１によって測定された、設定装置１１と通信可能な移動通信端末１３の信号強度に基づいて、次の通信するべき移動通信端末を特定することができる。
【００４９】
図４Ａ及び図４Ｂは、本実施形態に係る音発生システム１０によって実行される、楽器の設定方法の流れを示したフローチャートである。以下、図４Ａ及び図４Ｂを参照して、本実施形態における音発生システム１０によって実行される、楽器の設定方法の一例を詳細に説明する。
【００５０】
図４Ａは、設定装置１１における、楽器の設定方法の流れを示したフローチャートである。図４Ａを参照して、設定装置１１における、楽器の設定処理の流れを説明する。まず、設定装置１１における測定部３０１は、設定装置１１と通信可能な移動通信端末の信号強度をそれぞれ測定する（Ｓ４−１）。例えば、測定部３０１は、移動通信端末のＲＳＳＩを測定する。
【００５１】
次に、操作部１０７を介してユーザから周囲にある移動端末通信１３への通信指示を受信する（Ｓ４−２）と、特定部３０３は、測定部３０１によって測定された、設定装置１１と通信可能な移動通信端末１３のそれぞれの信号強度を取得し、取得した信号強度に基づいて通信するべき移動通信端末を特定する（Ｓ４−３）。
【００５２】
特定部３０３によって通信するべき移動通信端末１３が特定されると、設定装置１１と特定された移動通信端末１３とは、互いに通信を行う（Ｓ４−４）。設定装置１１は、送受信部３０５を介して、楽器情報１０３ｂを通信中の移動通信端末１３に送信する（Ｓ４−５）。そして、設定装置１１は、送受信部３０５を介して、送信した楽器情報１０３ｂに対応する楽器の設定データを移動通信端末１３から取得する（Ｓ４−６）。尚、移動通信端末１３に設定装置１１が内蔵された楽器１４に対応する設定データのみが記憶されている場合は、Ｓ４−５の工程は省略されてもよい。
【００５３】
設定データを移動通信端末１３から受信すると、設定装置１１は、移動通信端末１３との通信を解除する（Ｓ４−７）。そして、設定部３０７は、受信した設定データに基づいて楽器の設定を変更する（Ｓ４−８）。尚、Ｓ４−７の工程とＳ４−８の工程との順序は逆であってもよい。移動通信端末１３への通信が解除され、楽器１４の設定パラメータ１２が変更されると、設定装置１１はＳ４−１の工程に戻る。
【００５４】
図４Ｂは、移動通信端末１３における、楽器の設定方法の流れを示したフローチャートである。図４Ｂを参照して、移動通信端末１３における、楽器の設定処理の流れを説明する。移動通信端末１３は、通信可能な設定装置を検索する（Ｓ４−９）。ここで、移動通信端末１３は、楽器の設定に使用されるアプリケーションを起動することにより、通信可能な設定装置を検索することができる。この楽器の設定に使用されるアプリケーションは、移動通信端末１３に内蔵さていてもよく、インターネット等のネットワーク経由でダウンロードされてもよい。
【００５５】
上述したように、設定装置１１は、操作部１０７を介したユーザからの通信指示に応答して、設定装置１１と通信可能な移動通信端末１３のなかから、信号強度に基づいて通信するべき移動通信端末１３を特定する。設定装置１１の特定部３０３によって特定された移動通信端末１３は、設定装置１１と通信を確立する（Ｓ４−１０）。ここで、設定装置１１の特定部３０３によって、設定装置１１と通信するべき移動通信端末として特定されなかった移動通信端末１３はＳ４−９の工程に戻る。
【００５６】
設定装置１１と通信を確立した移動通信端末１３は、設定装置１１から楽器情報１０３ｂを受信する（Ｓ４−１１）。移動通信端末１３は、受信した楽器情報１０３ｂに対応する楽器の設定データを選択して送受信部４０１を介して設定装置１１に送信する（Ｓ４−１２）。尚、設定装置１１と通信を行う移動通信端末１３に設定装置１１が内蔵された楽器１４に対応する設定データのみが記憶されている場合は、Ｓ４−１１の工程は省略されてもよい。
【００５７】
移動通信端末１３は、楽器１４に対応する設定データを設定装置１１に送信すると、設定装置１１との通信を解除する（Ｓ４−１３）。設定装置１１との通信を解除すると、移動通信端末１３はＳ４−９の工程に戻る。
【００５８】
以上に述べたように、本実施形態に係る楽器の設定を行う音発生装置及び音発生システムによれば、それぞれのユーザの使用時に、ユーザが個別に設定操作をすることなく、ユーザが楽器に通常適用している設定データを楽器に適用することができる。
【００５９】
（実施形態２）
本発明の一実施形態における楽器の設定を行う、別の音発生装置及び音発生システムについて、図面を参照しながら説明する。上述した第１の実施形態に係る設定装置１１の特定部３０３は、設定装置１１の周囲にある通信可能な移動通信端末１３のうち、最も大きな信号強度を有する移動通信端末１３を、通信するべき移動通信端末として特定する。本実施形態に係る音発生装置及び音発生システムにおいては、音発生装置に含まれる設定装置と通信するべき移動通信端末を、設定装置の周囲にある、設定装置と通信可能な移動通信端末間で決定する。
【００６０】
［システム］
図５は、本発明の一実施形態における楽器の設定を行う音発生システム５０を示す概略図である。音発生システム５０は、楽器５４と、楽器５４に内蔵された楽器の音の生成の制御に関する設定を行う設定装置５１と、設定装置５１と通信可能な移動通信端末５３とを含む。設定装置５１は、楽器５４に内蔵されている設定パラメータ５２の設定を行う。設定装置５１と通信するべき移動通信端末を、設定装置５１の周囲にある、設定装置５１と通信可能な移動通信端末間５３で決定することを除いて、本実施形態に係る音発生システム５０は、上述した第１の実施形態に係る音発生システム１０と略同じであるため、詳細な説明は省略する。また、設定装置５１及び移動通信端末５３の構成は、図２を参照して説明した第１の実施形態に係る設定装置１１及び移動通信端末１３の構成と略同じであるため、詳細な説明は省略する。
【００６１】
［設定機能］
設定装置５１の制御部が記憶部に記憶された制御プログラムを実行することによって実現される、楽器の設定機能について説明する。また、移動通信端末５３の記憶部１１５に記憶された制御プログラム１１５ａを実行することによって実現される、楽器の設定データの送信機能について説明する。以下に説明する設定機能を実現する構成の一部または全部は、設定装置５１及び移動通信端末５３のハードウエアによって実現されてもよい。
【００６２】
図６は、本実施形態における楽器の設定機能６００の構成及び楽器の設定データの送信機能７００の構成を示すブロック図である。図６を参照すると、設定機能６００は、特定部６０１、送受信部６０３、及び設定部６０５を含む。また、設定データの送信機能７００（７００Ａ、７００Ｂ）は、送受信部７０１（７０１Ａ、７０１Ｂ）及び通信特定部７０３（７０３Ａ、７０３Ｂ）を含む。図６においては、送信機能７００Ａは図５における移動通信端末５３ｃで実行される送信機能を示しており、送信機能７００Ｂは図５における移動通信端末５３ａ、５３ｂ及び５３ｄで実行される送信機能を示している。
【００６３】
特定部６０１は、設定装置５１の周囲に存在する、設定装置５１と通信可能な移動通信端末５３ａ〜５３ｄに対して、設定装置５１と通信するべき移動通信端末を特定させる。具体的には、設定装置５１の操作部１０７を介したユーザの指示に応じて、特定部６０１は、設定装置５１の周囲に存在する、設定装置５１と通信可能な移動通信端末５３ａ〜５３ｄに対して、移動通信端末５３ａ〜５３ｄ間で設定装置５１と通信するべき移動通信端末を特定させるための信号を送信する。尚、該信号には、移動通信端末５３ａ〜５３ｄのうち、代表移動通信端末を指定する情報が含まれていてもよい。ここで、代表移動通信端末とは、移動通信端末５３ａ〜５３ｄの何れかであり、移動通信端末５３ａ〜５３ｄのなかから設定装置５１と通信するべき移動通信端末を特定する移動通信端末を指す。特定部６０１は、移動通信端末５３ａ〜５３ｄのいずれかを代表移動通信端末として任意に指定してもよい。
【００６４】
移動通信端末５３ａ〜５３ｄは、特定部６０１から送信された該信号に応じて、移動通信端末５３ａ〜５３ｄ間で設定装置５１と通信するべき移動通信端末を特定する。ここで、特定部６０１から送信された信号を受信した移動通信端末５３ａ〜５３ｄは、設定装置５１に対する信号強度に基づいて設定装置５１と通信するべき移動通信端末を特定する。設定装置５１に対する信号強度とは、設定装置５１の特定部６０１から送信された信号が移動通信端末５３ａ〜５３ｄの各々で受信される際の信号強度である。ここで、信号強度は、ＲＳＳＩであってもよい。
【００６５】
特定部６０１から送信された信号に、代表移動通信端末を指定する情報が含まれている場合、代表移動通信端末が設定装置５１と通信するべき移動通信端末を移動通信端末５３ａ〜５３ｄ中から特定する。特定部６０１から送信された信号に自端末が指定されているかどうかは、各移動通信端末５３ａ〜５３ｄの通信特定部７０３（７０３Ａ、７０３Ｂ）によって判定することができる。以下では、特定部６０１から送信された信号に移動通信端末５３ｃを代表移動通信端末として指定する情報が含まれている場合について説明する。移動通信端末５３ａ、５３ｂ、５３ｄは、特定部６０１から送信された信号に応答して、設定装置５１に対する移動通信端末５３ａ、５３ｂ、５３ｄに信号強度を、送受信部７０１Ｂから代表移動通信端末として指定された移動通信端末５３ｃの送受信部７０１Ａに送信する。
【００６６】
移動通信端末５３ｃは、設定装置５１に対する移動通信端末５３ａ、５３ｂ、５３ｄの信号強度を送受信部７０１Ａによって受信し、通信特定部７０３Ａに送信する。移動通信端末５３ｃの通信特定部７０３Ａは、取得した設定装置５１に対する移動通信端末５３ａ、５３ｂ、５３ｄに信号強度と設定統治５１に対する自端末の信号強度とを比較して、設定装置５１に対する信号強度が最も大きな移動通信端末を設定装置５１と通信するべき移動通信端末として特定する。ここでは、図５に示すように、移動通信端末５３ａ〜５３ｄのうち、移動通信端末５３ｃが設定装置５１に対して最も大きな信号強度を有するものとする。したがって、移動通信端末５３ｃの通信特定部７０３Ａにおいて、設定装置５１に対する信号強度が最も大きな移動通信端末として、移動通信端末５３ｃが特定される。
【００６７】
設定装置５１と通信するべき移動通信端末として移動通信端末５３ｃが特定されると、設定装置５１と移動通信端末５３ｃとは通信を行う。設定装置５１の送受信部６０３は、移動通信端末５３ｃと通信を行い、該移動通信端末５３ｃから楽器の設定データを受信する。このとき、送受信部６０３は、移動通信端末５３ｃに、楽器情報１０３ｂを送信してもよい。移動通信端末５３ｃの設定データ記憶部１１３ａが複数の楽器の設定データを記憶している場合、移動通信端末５３ｃは、設定装置５１から受信した楽器情報１０３ｂに基づいて、楽器情報１０３ｂに対応している楽器の設定データを選択し、選択された楽器の設定データを設定装置５１の送受信部６０３に送信する。送受信部６０３は、移動通信端末５３ｃから受信した楽器の設定データを設定部６０５に送信する。送受信部６０３は、移動通信端末５３ｃから楽器の設定データを受信した後、移動通信端末５３ｃとの通信を解除する。
【００６８】
設定部６０５は、取得した楽器の設定データに基づいて、楽器の設定を変更する。即ち、設定部６０５は、取得した楽器の設定データに基づいて、設定パラメータ５２を変更する。楽器５４のユーザが操作部１０７を介して、該楽器５４に対する追加の設定を行う場合、設定部６０５は操作部１０７を介して入力されたユーザの設定指示を該楽器５４の設定パラメータ５２に反映してもよい。
【００６９】
上述したように、本実施形態に係る設定装置５１において、送受信部６０３は、移動通信端末５３ｃから楽器の設定データを受信した後、該移動通信端末５３ｃとの通信を解除する。設定データを送信した移動通信端末５３ｃとの通信を解除した後、設定装置５１の特定部６０１は、操作部１０７を介したユーザの指示に応じて、設定装置５１の周囲に存在する、設定装置５１と通信可能な移動通信端末に対して、移動通信端末間で設定装置５１と通信するべき移動通信端末を特定させるための信号を送信することができる。
【００７０】
以上では、設定装置５１の特定部６０１から移動通信端末５３ａ〜５３ｄに送信する信号に、代表移動通信端末を指定する情報が含まれている場合を説明した。しかし、本実施形態はこれに限定されず、設定装置５１の周囲に存在する移動通信端末５３ａ〜５３ｄのそれぞれにおいて、設定装置５１に対する移動通信端末５３ａ〜５３ｄの信号強度に基づいて、設定装置５１と通信するべき移動通信端末が特定されてもよい。
【００７１】
例えば、設定装置５１の特定部６０１から信号を受信すると、移動通信端末５３ａは、設定装置５１に対する信号強度をそれぞれ別の移動通信端末５３ｂ〜５３ｄに送受信部７０１（７０１Ｂ）を介して送信する。同様に、移動通信端末５３ｂは、設定装置５１に対する信号強度をそれぞれ別の移動通信端末５３ａ、５３ｃ〜５３ｄに送受信部７０１（７０１Ｂ）を介して送信する。同様に、移動通信端末５３ｃは、設定装置５１に対する信号強度をそれぞれ別の移動通信端末５３ａ〜５３ｂ、５３ｄに送受信部７０１（７０１Ａ）を介して送信し、移動通信端末５３ｄは、設定装置５１に対する信号強度をそれぞれ別の移動通信端末５３ａ〜５３ｃに送受信部７０１（７０１Ｂ）を介して送信する。
【００７２】
移動通信端末５３ａ〜５３ｄのそれぞれの通信特定部７０３（７０３Ａ、７０３Ｂ）において、設定装置５１に対する移動通信端末５３ａ〜５３ｄの信号強度が比較され、設定装置５１に対する信号強度が最も大きな移動通信端末が設定装置５１と通信するべき移動通信端末として特定される。特定された移動通信端末は、設定装置５１と通信し、楽器５４に対応する設定データを設定装置５１に送信する。
【００７３】
図７Ａ及び図７Ｂは、本実施形態に係る音発生システム５０によって実行される、楽器の設定方法の流れを示したフローチャートである。以下、図７Ａ及び図７Ｂを参照して、本実施形態における音発生システム１０によって実行される、楽器の設定方法の一例を詳細に説明する。
【００７４】
図７Ａは、設定装置５１における、楽器の設定方法の流れを示したフローチャートである。設定装置５１は、操作部１０７を介してユーザから周囲にある移動端末通信５３への通信指示を受信する（Ｓ７−１）。移動通信端末５３への通信指示を受信すると、特定部６０１は、設定装置５１と通信可能な移動通信端末５３ａ〜５３ｄに対して、設定装置５１と通信するべき移動通信端末を特定させるための信号を送信する（Ｓ７−２）。ここで、該信号には、移動通信端末５３ａ〜５３ｄのうち、代表移動通信端末を指定する情報が含まれていてもよい。該信号に応じて、設定装置５１の周囲にある、設定装置５１と通信可能な移動通信端末５３ａ〜５３ｄから、設定層装置５１と通信するべき移動通信端末が特定される。
【００７５】
設定層装置５１と通信するべき移動通信端末５３が特定されると、設定装置５１と特定された移動通信端末５３とは、互いに通信を行う（Ｓ７−３）。設定装置５１は、送受信部６０３を介して、楽器情報１０３ｂを通信中の移動通信端末５３に送信する（Ｓ７−４）。そして、設定装置５１は、送受信部６０３を介して、送信した楽器情報１０３ｂに対応する楽器の設定データを移動通信端末５３から取得する（Ｓ７−５）。尚、移動通信端末５３に設定装置５１が内蔵された楽器５４に対応する設定データのみが記憶されている場合は、Ｓ７−４の工程は省略されてもよい。
【００７６】
設定データを移動通信端末５３から受信すると、設定装置５１は、移動通信端末５３との通信を解除する（Ｓ７−６）。そして、設定部６０５は、受信した設定データに基づいて楽器５４の設定を変更する（Ｓ７−７）。尚、Ｓ７−６の工程とＳ７−７の工程との順序は逆であってもよい。移動通信端末５３への通信が解除され、楽器５４の設定パラメータ５２が変更されると、設定装置５１はＳ７−１の工程に戻る。
【００７７】
図７Ｂは、移動通信端末５３における、楽器の設定方法の流れを示したフローチャートである。図７Ｂを参照して、移動通信端末５３における、楽器の設定処理の流れを説明する。
【００７８】
移動通信端末５３は、通信可能な設定装置を検索する（Ｓ７−８）。ここで、移動通信端末５３は、楽器の設定に使用されるアプリケーションを起動することにより、通信可能な設定装置を検索することができる。この楽器の設定に使用されるアプリケーションは、移動通信端末５３に内蔵さていてもよく、インターネット等のネットワーク経由でダウンロードされてもよい。
【００７９】
上述したように、設定装置５１は、操作部１０７を介してユーザから移動通信端末への通信指示を受信すると、設定装置５１の特定部６０１から、移動通信端末５３に設定装置５１と通信するべき移動通信端末を特定させるための信号が送信される。ここで、該信号には、所定の移動通信端末５３を代表移動通信端末として指定する情報が含まれているものとする。移動通信端末５３は、特定部６０１からの信号を受信する（Ｓ７−９）と、通信端末５３の通信特定部７０３は、受信した該信号に基づいて自端末が代表移動通信端末として指定されているかどうか確認する（Ｓ７−１０）。代表移動通信端末として指定されていない移動通信端末５３は、代表移動通信端末として指定された移動通信端末５３に、設定装置５１に対する自端末の信号強度を送信する（Ｓ７−１１）。代表移動通信端末として指定された移動通信端末５３は、代表移動通信端末として指定されていない他の移動通信端末５３の設定装置５１に対する信号強度を受信する（Ｓ７−１２）。
【００８０】
代表移動通信端末として指定された移動通信端末５３は、設定装置５１と通信可能な、自端末を含む全ての移動通信端末５３の設定装置５１に対する信号強度に基づいて、設定装置５１と通信するべき移動通信端末を特定する（Ｓ７−１３）。具体的には、代表移動通信端末として指定された移動通信端末５３の通信特定部７０３は、自端末を含む全ての移動通信端末５３の設定装置５１に対する信号強度を比較し、比較の結果、設定装置５１に対する信号強度が最も大きな移動通信端末５３を設定装置５１と通信するべき移動通信端末として特定する。
【００８１】
設定装置５１と通信するべき移動通信端末であると特定された移動通信端末５３と設定装置５１とは、互いに通信を行う（Ｓ７−１４）。当該移動通信端末５３は、設定装置５１から楽器情報１０３ｂを受信し（Ｓ７−１５）、受信した楽器情報１０３ｂに対応している楽器の設定データを選択して、選択された楽器の設定データを設定装置５１の送受信部６０３に送信する（Ｓ７−１６）。尚、当該移動通信端末５３に設定装置５１が内蔵された楽器５４に対応する設定データのみが記憶されている場合は、Ｓ７−１６の工程は省略されてもよい。
【００８２】
楽器５４に対応する設定データを設定装置５１に送信した移動通信端末５３は、設定装置５１との通信を解除する（Ｓ７−１７）。設定装置５１との通信を解除すると、当該移動通信端末５３はＳ７−８の工程に戻る。尚、代表移動通信端末として指定されなかった移動通信端末５３は、設定装置５１に対する信号強度を代表移動通信端末として指定された移動通信端末５３に送信した後、Ｓ７−８の工程に戻る。
【００８３】
尚、設定装置５１の特定部６０１から送信される、設定装置５１と通信するべき移動通信端末を特定させるための信号に所定の移動通信端末５３を代表移動通信端末として指定する情報が含まれていない場合、Ｓ７−１０の工程は省略される。この場合、設定装置５１から送信された信号を受信した全ての移動通信端末５３は、自端末の設定装置５１に対する信号強度を、他の移動通信端末５３に送信する。そして、全ての移動通信端末５３において、自端末の設定装置５１に対する信号強度と、受信した他の移動通信端末５３の設定装置５１に対する信号強度とを比較し、設定装置５１に対する信号強度が最も大きな移動通信端末５３を設定装置５１と通信するべき移動通信端末として特定する。
【００８４】
以上に述べたように、本発明に係る楽器の設定を行う音発生装置及び音発生システムによれば、それぞれのユーザの使用時に、ユーザが個別に設定操作をすることなく、ユーザが楽器に通常適用している設定データを楽器に適用することができる。
【００８５】
（実施形態３）
第１実施形態及び第２実施形態では、設定装置が移動通信端末と通信する際、操作部１０７を介したユーザの指示に応答して、通信するべき移動通信端末の特定を行う、又は通信するべき移動通信端末を特定させるための信号を移動通信端末に送信する例を説明した。しかしながら、通信するべき移動通信端末の特定はこれに限定されるわけではない。例えば、ユーザからの指示なしに設定装置が自動的に通信するべき移動通信端末の特定を行う、又は通信するべき移動通信端末を特定させるための信号を移動通信端末に送信してもよい。
【００８６】
［システム］
図８は、本発明の一実施形態における楽器の設定を行う音発生システム８０を示す概略図である。図８において、上述した第１実施形態の音発生ステム１０と同一又は類似の構成については、図１に示した音発生システム１０の構成と同一の参照番号を付与し、重複する説明は省略する。音発生システム８０は、楽器１４に内蔵された、楽器の音の生成の制御に関する設定を行う設定装置１１と、設定装置１１と通信可能な移動通信端末１３（１３ａ〜１３ｄ）とを含む。設定装置１１は、楽器１４に内蔵されている音発生部１５の設定パラメータ１２の設定を行う。本実施形態において、楽器１４は、検知部８１を含む。検知部８１は、楽器１４に対し現在有効な演奏者（ユーザ）がいるかどうか、即ち、現在の楽器１４の演奏者の有無を検知する。検知部８１は、楽器１４の周囲における所定の位置におけるユーザの存在を検知することによって、楽器１４の現在の演奏者の有無を検知してもよい。ここで、所定の位置とは、楽器１４を演奏する際に、演奏者が通常存在する領域であり、楽器１４を演奏可能な領域を示す。尚、この領域は楽器の種類によって異なる。楽器を演奏可能な領域にユーザの存在を検知したということは、ユーザがその楽器を演奏するのに最適な位置にいるといえる。検知部８１は、所定の位置を撮像するカメラや、ユーザの有無を検知するセンサであってもよい。また、検知部８１は、設定装置１１に対するユーザが所持する移動通信端末との通信可能状態が継続していることを検知することにより、楽器１４の現在の演奏者の有無を検知してもよい。
【００８７】
設定装置１１及び移動通信端末１３の構成は、図２を参照して説明した第１の実施形態に係る設定装置１１及び移動通信端末１３の構成と略同じであるため、詳細な説明は省略する。
【００８８】
［設定機能］
図９は、第３実施形態に係る設定装置１１の設定機能９００の構成を示すブロック図である。図９において、上述した第１実施形態の設定機能３００と同一又は類似の構成については、図１に示した設定機能３００の構成と同一の参照番号を付与し、重複する説明は省略する。
【００８９】
設定機能９００は、判定部９０３を備える。判定部９０３は、設定データを設定装置１１に送信した移動通信端末が有効な移動通信端末か、無効な移動通信端末かを判定する。判定部９０３は、検知部８１による楽器１４の演奏位置（楽器１４の周囲における所定の位置）におけるユーザの有無の検知結果に基づいて、移動通信端末が有効か無効かを判定する。例えば、移動通信端末１３ｃが設定装置１１と通信するべき移動通信端末であると特定された場合、設定装置１１は、移動通信端末１３ｃから楽器１４の音の生成に関する設定データを受信する。この後、判定部９０３は、移動通信端末１３ｃが有効か無効かを判定する。
【００９０】
判定部９０３は、検知部８１が楽器１４の演奏位置にユーザが存在しない、即ち、楽器１４を使用している現在のユーザがいないことを検知した場合、移動通信端末１３ｃが無効であると判定する。この場合、特定部３０３は、設定装置１１の周囲に存在する、設定装置１１と通信可能な移動通信端末１３ａ〜１３ｄの中から、設定装置１１と通信するべき移動通信端末を新たに特定する。一方、判定部９０３は、検知部８１が楽器１４の演奏位置にユーザが存在する、即ち、楽器１４を使用している現在のユーザがいることを検知した場合、移動通信端末１３ｃが有効であると判定する。この場合、特定部３０３は、設定装置１１と通信するべき移動通信端末を新たに特定せずに、設定部３０７は、移動通信端末１３ｃから送信された設定データに基づく設定を維持する。
【００９１】
検知部８１が楽器１４の周囲における所定の位置にユーザが存在する、即ち、楽器１４を使用している現在のユーザがいることを検知する場合、ユーザが楽器１４の演奏中である可能性が高い。本実施形態においては、判定部９０３によって、設定データを設定装置１１に送信した移動通信端末が有効な移動通信端末か、無効な移動通信端末かを判定することにより、ユーザが楽器１４を演奏しているか否かを判定する。そのため、ユーザが楽器１４の演奏位置にいる間、即ち、ユーザが楽器１４を演奏中である間は、設定装置１１が他の移動通信端末と通信して、設定装置の設定が変更されることを防ぐことができる。
【００９２】
尚、本実施形態においては、検知部８１によって、楽器１４の周囲における所定の位置におけるユーザの有無、即ち楽器１４を使用している現在のユーザの有無を検出することにより、設定データを設定装置１１に送信した移動通信端末が有効か無効か、即ち、設定データを設定装置１１に送信した移動通信端末のユーザによって楽器１４が演奏中であるか否かを判定している。しかしながら、楽器が演奏中であるか否かを判定する方法は、これに限定されるわけではない。例えば、設定データを設定装置１１に送信した移動通信端末が、その信号強度を所定期間維持する場合、又は該信号強度を基準とした所定の範囲に信号強度を維持する間は、判定部９０３は、設定データを設定装置１１に送信した移動通信端末を有効であると判定してもよい。また、設定装置１１と通信するべき移動通信端末と特定された移動通信端末が設定データを設定装置１１に送信した後、楽器１４の操作子１６に対する操作が楽器１４の制御部等で検出されている間は、判定部９０３は、楽器１４が演奏中である、即ち設定データを設定装置１１に送信した移動通信端末が有効であると判定してもよい。
【００９３】
以上の実施形態においては、一例として音発生装置が楽器（電子ピアノ）である場合を説明した。しかしながら、本発明に係る音発生装置は、楽器に限定されない。例えば、本発明に係る音発生装置は、ゲーム装置であってもよい。この場合、音発生装置は、ゲームの進行を制御する制御部と、ゲームの進行を制御するためのユーザの操作を受けるコントローラを備える。ゲーム装置は、上記の第１実施形態〜第３実施形態において説明した音発生装置と同様に通信するべき移動通信端末と特定された移動通信端末から設定データを取得する。この場合、設定データは、ゲームの進行中に放音される音の発生の制御に関する。ゲーム装置は、ユーザによるゲームの進行と取得した設定データに基づいて音を発生する。
【００９４】
本発明の実施形態として説明した構成を基にして、当業者が適宜構成要素の追加、削除もしくは設計変更を行ったもの、又は、工程の追加、省略もしくは条件変更を行ったものも、本発明の要旨を備えている限り、本発明の範囲に含まれる。
【００９５】
また、上述した実施形態の態様によりもたらされる作用効果とは異なる他の作用効果であっても、本明細書の記載から明らかなもの、又は、当業者において容易に予測し得るものについては、当然に本発明によりもたらされると解される。
【符号の説明】
【００９６】
１０、５０：音発生システム、１１、５１：設定装置、１３（１３ａ〜１３ｄ）、５３（５３ａ〜５３ｄ）：移動通信端末、１０１：制御部、１０３：記憶部、１０５：通信Ｉ／Ｆ、１０７：操作部、１０９：表示部、１１１：バス、１１３：制御部、１１５：記憶部、１１７：通信Ｉ／Ｆ、１１９：操作部、１２１：表示部、３００、６００：設定機能：３０１：測定部、３０３：特定部、３０５、６０３：送受信部、３０６：取得部、３０７、６０５：設定部、４００、７００（７００Ａ、７００Ｂ）：送信機能、４０１、７０１（７０１Ａ、７０１Ｂ）：送受信部、６０１：特定部、７０３（７０３Ａ、７０３Ｂ）：通信特定部、８１：検知部、９００：設定機能
【図１】
2020173480.tif 000003
【図２】
2020173480.tif 000004
【図３】
2020173480.tif 000005
【図４Ａ】
2020173480.tif 000006
【図４Ｂ】
2020173480.tif 000007
【図５】
2020173480.tif 000008
【図６】
2020173480.tif 000009
【図７Ａ】
2020173480.tif 000010
【図７Ｂ】
2020173480.tif 000011
【図８】
2020173480.tif 000012
【図９】
2020173480.tif 000013